(57)【特許請求の範囲】
【請求項１】
前面開口した箱型のキャビネット内に前方へ引き出される引出し部材を設け、該キャビネットの天板部に設けられるシンクの排水口から排水管を同キャビネット内に垂設配管してなる収納キャビネットであって、垂設配管される排水管の中程に後方へ折曲した折曲管部を形成し、該折曲管部の下側端と略等しい高さ位置にその下面が位置する棚部材を設け、該棚部材にてキャビネット内を上下のスペースに区切り、該区切られる下側のスペース内に引出し部材を設けて、該引出し部材が後方へ押し納められた状態でその後端部分が前記折曲管部の下方にまで至るよう、同引出し部材の後端部分を後方へ延設してなる収納キャビネット。
【請求項２】
引出し部材の前端部分に蓋板を付設し、該蓋板にて上下両側のスペースにわたるキャビネットの前面開口が開閉自在に覆われるようになしたことを特徴とする請求項１記載の収納キャビネット。
【請求項３】
棚部材を前方へ引き出される引出しとして設けたことを特徴とする請求項１又は２記載の収納キャビネット。
【請求項４】
棚部材が後方へ押し納められた状態でその後端部分が折曲管部の手前側に近接して位置するよう、同棚部材の前後奥行寸法を設定したことを特徴とする請求項３記載の収納キャビネット。
【請求項５】
棚部材を網籠状に形成したことを特徴とする請求項１〜４のいずれか一つに記載の収納キャビネット。
【発明の詳細な説明】
【０００１】
【発明の属する技術分野】
本発明は、前面開口した箱型のキャビネット内に前方へ引き出される引出し部材を設け、該キャビネットの天板部に設けられるシンクの排水口から排水管を同キャビネット内に垂設配管してなり、流し台、洗面台等として使用される収納キャビネットに関するものである。
【０００２】
【従来の技術】
従来から、図６に示す如く、前面開口した箱型のキャビネット１内に前方へ引き出される引出し部材２を設け、該キャビネット１の天板部３に設けられるシンク４の排水口５から排水管６を同キャビネット２内に垂設配管してなり、流し台として使用される収納キャビネットは知られている。該収納キャビネットにおいては、引出し部材２が上方へ開口した箱型で、その内部には調味料、食品、台所用品等の物品ａが収納保管される。又、キャビネット１の前面はその略全体が開口しており、引出し部材２の前端部分に蓋板９が付設され、該蓋板９にて同キャビネット１の前面開口が開閉自在に覆われるようになっている。
【０００３】
又、キャビネット１の天板部３にはシンク４の後側に給水カラン17が立設されており、同シンク４の排水口５には排水トラップ18が設けられ、該排水トラップ18から排水管６が垂設配管されている。この場合、排水管６は鉛直状でキャビネット１の下方へ配管されており、引出し部材２が後方へ押し納められた状態でその後端部分が同排水管６の手前側に近接して位置するよう、同引出し部材２の前後奥行寸法は設定されている。
【０００４】
したがって、該収納キャビネットにおいては、蓋板９でキャビネット１の前面開口を開閉すると共に引出し部材２をスライドさせることによって、該引出し部材２の内部に収納保管される物品ａを容易に出し入れすることができる。又、その際、引出し部材２の後端部分が鉛直状に垂設配管される排水管６に当たることはない。
【０００５】
【発明が解決しようとする課題】
しかしながら、上記従来の技術においては、排水管６が鉛直状に垂設配管されており、該排水管６に引出し部材２の後端部分が当たらないようにするため、該引出し部材２の前後奥行寸法を短く設定する必要があった。それ故に、キャビネット１内の排水管６の後側はデッドスペースとなり、引出し部材２の容積が小さくなって、該引出し部材２の内部には多くの物品ａを収納保管することができないという問題があった。
【０００６】
そこで、図７に示す如く、キャビネット１の天板部３に設けられるシンク４の排水口５から垂設配管される排水管６の中程に後方へ折曲した折曲管部７を形成し、該折曲管部７から同排水管６をキャビネット１の背板部12を貫通させてその後方へ配管してなる収納キャビネットが提案された。この場合、引出し部材２が後方へ押し納められた状態でその後端部分が前記折曲管部７の下方にまで至るよう、同引出し部材２の後端部分は後方へ延設されている。それ故に、引出し部材２の容積は大きく、該引出し部材２の内部に多くの物品ａを収納保管することができる。
【０００７】
しかしながら、該収納キャビネットにおいては、引出し部材２の内部に収納保管された物品ａが排水トラップ18や排水管６の折曲管部７に当たり、該排水トラップ18や排水管６が破損したり、同物品ａが倒れて破損したりするという問題が発生する。この場合、引出し部材２の内部には背丈の高い物品ａを収納保管しないように注意すれば良いのであるが、排水トラップ18や排水管６等はキャビネット１内の奥方に位置して見え難く、又、該キャビネット１の前面はその略全体が開口していてこれで高さ制限されないこともあって、前記のように注意することは困難である。
【０００８】
本発明は、上記従来の技術における問題を悉く解決するために発明されたもので、その課題は、キャビネット内を収納スペースとして広く有効に活用することができ、排水管が引出し部材のスライドに支障となることなく、該引出し部材内の収納物品や同排水管等の破損も防止される収納キャビネットを提供することである。
【０００９】
【課題を解決するための手段】
本発明の請求項１記載の収納キャビネットは、前面開口した箱型のキャビネット内に前方へ引き出される引出し部材を設け、該キャビネットの天板部に設けられるシンクの排水口から排水管を同キャビネット内に垂設配管してなる収納キャビネットであって、垂設配管される排水管の中程に後方へ折曲した折曲管部を形成し、該折曲管部の下側端と略等しい高さ位置にその下面が位置する棚部材を設け、該棚部材にてキャビネット内を上下のスペースに区切り、該区切られる下側のスペース内に引出し部材を設けて、該引出し部材が後方へ押し納められた状態でその後端部分が前記折曲管部の下方にまで至るよう、同引出し部材の後端部分を後方へ延設してなる。
【００１０】
したがって、この場合、垂設配管される排水管の中程に後方へ折曲した折曲管部が形成されており、引出し部材が後方へ押し納められた状態でその後端部分が同折曲管部の下方にまで至るよう、同引出し部材の後端部分が後方へ延設されているので、引出し部材の容積は大きくなって、該引出し部材の内部に多くの物品を収納保管することができ、その際、同引出し部材のスライドに排水管が支障となることもない。しかも、棚部材はその下面が折曲管部の下側端と略等しい高さ位置になるよう設けられているので、棚部材の下側スペースの容積が大きく確保され、該棚部材により収納物品の高さ規制も支障なく行われる。
【００１１】
又、前記折曲管部の下側端と略等しい高さ位置に棚部材が設けられ、該棚部材にてキャビネット内が上下のスペースに区切られ、該区切られる下側のスペース内に引出し部材が設けられているので、棚部材より上側のスペース内にも物品を収納保管することができ、前記引出し部材の内部と合わせてキャビネット内を収納スペースとして広く有効に活用することができる。しかも、棚部材の存在により背丈の高い物品が収納保管されないよう規制されて、収納保管される物品が排水管に当たって該排水管や同物品等が破損することは確実に防止される。
【００１２】
本発明の請求項２記載の収納キャビネットは、上記請求項１記載の収納キャビネットにおいて、引出し部材の前端部分に蓋板を付設し、該蓋板にて上下両側のスペースにわたるキャビネットの前面開口が開閉自在に覆われるようになしたことを特徴とする。
【００１３】
したがって、この場合は特に、引出し部材の前端部分に蓋板が付設され、該蓋板にて上下両側のスペースにわたるキャビネットの前面開口が開閉自在に覆われるようになっているので、蓋板でキャビネットの前面開口を開閉することによって同時に引出し部材がスライドされ、該引出し部材の内部及び棚部材より上側のスペース内に収納保管される物品を容易に出し入れすることができる。
【００１４】
本発明の請求項３記載の収納キャビネットは、上記請求項１又は２記載の収納キャビネットにおいて、棚部材を前方へ引き出される引出しとして設けたことを特徴とする。
【００１５】
したがって、この場合は特に、棚部材が前方へ引き出される引出しとして設けられているので、棚部材より上側のスペース内に収納保管される物品を該棚部材を引き出して極めて簡単に出し入れすることができる。
【００１６】
本発明の請求項４記載の収納キャビネットは、上記請求項３記載の収納キャビネットにおいて、棚部材が後方へ押し納められた状態でその後端部分が折曲管部の手前側に近接して位置するよう、同棚部材の前後奥行寸法を設定したことを特徴とする。
【００１７】
したがって、この場合は特に、棚部材が後方へ押し納められた状態でその後端部分が折曲管部の手前側に近接して位置するよう、同棚部材の前後奥行寸法は設定されているので、棚部材の上側スペースの容積は大きくなって、該棚部材の上側スペース内に多くの物品を収納保管することができ、その際、同棚部材のスライドに排水管が支障となることもない。
【００１８】
本発明の請求項５記載の収納キャビネットは、上記請求項１〜４のいずれか一つに記載の収納キャビネットにおいて、棚部材を網籠状に形成したことを特徴とする。
【００１９】
したがって、この場合は特に、棚部材が網籠状に形成されているので、棚部材の上側スペース内に多くの物品を水切り状態にして落下しないよう確実に収納保管することができる。
【００２０】
【発明の実施の形態】
図１〜４は、本発明の請求項１〜５全てに対応する一実施形態を示し、該実施形態の収納キャビネットは、前面開口した箱型のキャビネット１内に前方へ引き出される引出し部材２を設け、該キャビネット１の天板部３に設けられるシンク４の排水口５から排水管６を同キャビネット１内に垂設配管してなる収納キャビネットであって、垂設配管される排水管６の中程に後方へ折曲した折曲管部７を形成し、該折曲管部７の下側端と略等しい高さ位置に棚部材８を設け、該棚部材８にてキャビネット１内を上下のスペースに区切り、該区切られる下側のスペース内に引出し部材２を設けて、該引出し部材２が後方へ押し納められた状態でその後端部分が前記折曲管部７の下方にまで至るよう、同引出し部材２の後端部分を後方へ延設してなる。
【００２１】
該実施形態の収納キャビネットにおいては、引出し部材２の前端部分に蓋板９を付設し、該蓋板９にて上下両側のスペースにわたるキャビネット１の前面開口が開閉自在に覆われるようになしている。又、棚部材８を前方へ引き出される引出しとして設けており、この場合、棚部材８が後方へ押し納められた状態でその後端部分が折曲管部７の手前側に近接して位置するよう、同棚部材８の前後奥行寸法を設定してもいる。又、棚部材８を網籠状に形成して、該棚部材８をその下面が折曲管部７の下側端と略等しい高さ位置になるよう設けている。
【００２２】
キャビネット１は天板部３、両側板部10、底板部11、背板部12でなり、前面の略全体が開口した箱型に形成されている。キャビネット１の下端には複数の支持脚13が垂設されており、該支持脚13を介して台所の床面上に設置施工され、該実施形態の収納キャビネットは流し台として使用される。キャビネット１内は中仕切り体14によって左右のスペースに区分されており、該左右両側のスペースにわたる大きさのシンク４が同キャビネット１の天板部３に設けられている。
【００２３】
側板部10の内側及び中仕切り体14には各々レール部材15が配設されており、該両側に配設されるレール部材15によって引出し部材２及び棚部材８は前後方向スライド自在に支持されている。引出し部材２は上方へ開口した箱型で、その内部には調味料、食品、台所用品等の物品ａが収納保管される。又、キャビネット１の前面はその略全体が開口しており、引出し部材２の前端部分に蓋板９が付設され、該蓋板９にて同キャビネット１の前面開口が開閉自在に覆われるようになっている。
【００２４】
この場合、キャビネット１の左右両側のスペース内に、引出し部材２、21及び棚部材８、81がスライド自在に支持されて同様に配設されており、片側大きい方のスペース内に設けられる同棚部材８及び引出し部材２が排水管６の手前側スペース内の上下に配設されている。ここで、反対側小さい方のスペース内に設けられる引出し部材21は他方の引出し部材２と同様にその前端部分に蓋板91が付設されており、同スペース内に設けられる棚部材81は他方の網籠状の棚部材８とは異なり上方へ開口したトレイ状に形成されている。
【００２５】
キャビネット１の前面はその略全体が開口しているが、該前面開口の上側縁部分は幕板16で覆われており、該幕板16の後側に隠されるよう同キャビネット１の天板部３にシンク４が設けられている。すなわち、幕板16の上下巾寸法がシンク４の深さ寸法に略等しく設定されている。又、キャビネット１の天板部３にはシンク４の後側に給水カラン17が立設されており、同シンク４の底部後側略中央に形成される排水口５には排水トラップ18が設けられ、該排水トラップ18から排水管６が垂設配管されている。
【００２６】
この場合、排水管６は硬質のエルボ管部19と柔軟で折曲自在な蛇腹状管部20とでなり、排水トラップ18に同エルボ管部19が接続されて該エルボ管部19で折曲管部７が形成され、同エルボ管部19の後方端に同蛇腹状管部20が接続され、該蛇腹状管部20が下側に折曲されてキャビネット１の底板部11を貫通され、該キャビネット１の下方へ配管されている。ここでは、引出し部材２が後方へ押し納められた状態でその後端部分が排水管６の蛇腹状管部20の手前側に近接して位置するよう、同引出し部材２の前後奥行寸法は設定されている。それ故に、蓋板９でキャビネット１の前面開口を開閉すると共に引出し部材２をスライドさせることによって、該引出し部材２の内部に収納保管される物品ａを容易に出し入れすることができる。
【００２７】
したがって、該実施形態の収納キャビネットにおいては、排水管６の中程で排水トラップ18に近接した位置に、後方へ折曲した折曲管部７がエルボ管部19によって形成されており、引出し部材２が後方へ押し納められた状態でその後端部分が同折曲管部７の下方にまで至るよう、同引出し部材２の後端部分が後方へ延設されているので、引出し部材２の容積は大きくなって、該引出し部材２の内部に多くの物品ａを収納保管することができ、その際、同引出し部材２のスライドに排水管６が支障となることもない。
【００２８】
又、前記折曲管部７の下側端と略等しい高さ位置に棚部材８が設けられ、該棚部材８にてキャビネット１内が上下のスペースに区切られ、該区切られる下側のスペース内に引出し部材２が設けられているので、棚部材８より上側のスペース内にも物品を該棚部材８上に載置して収納保管することができ、前記引出し部材２の内部と合わせてキャビネット１内を収納スペースとして広く有効に活用することができる。しかも、棚部材８の存在により背丈の高い物品が収納保管されないよう規制されて、収納保管される物品ａが排水管６の折曲管部７（エルボ管部19）や排水トラップ18に当たって該排水管６や排水トラップ18或いは同物品ａ等が破損することは確実に防止される。
【００２９】
又、該実施形態の収納キャビネットにおいては、引出し部材２の前端部分に蓋板９が付設され、該蓋板９にて上下両側のスペースにわたるキャビネット１の前面開口が開閉自在に覆われるようになっているので、蓋板９でキャビネット１の前面開口を開閉することによって同時に引出し部材２がスライドされ、該引出し部材２の内部及び棚部材８より上側のスペース内に収納保管される物品ａを容易に出し入れすることができる。この場合、左右反対側のスペースにおいても、同様に、蓋板91でキャビネット１の前面開口を開閉することによって同時に引出し部材21がスライドされ、該引出し部材21の内部及び棚部材81より上側のスペース内に収納保管される物品を容易に出し入れすることができる。
【００３０】
又、該実施形態の収納キャビネットにおいては、棚部材８が前方へ引き出される引出しとして設けられているので、棚部材８より上側のスペース内に収納保管される物品を該棚部材８を引き出すことによって極めて簡単に出し入れすることができる。しかも、この場合、棚部材８が後方へ押し納められた状態でその後端部分が折曲管部７の手前側に近接して位置するよう、同棚部材８の前後奥行寸法は設定されているので、棚部材８の上側スペースの容積は大きくなって、該棚部材８の上側スペース内に多くの物品を収納保管することができ、ここでは、同棚部材８のスライドに排水管６が支障となることもない。
【００３１】
又、該実施形態の収納キャビネットにおいては、棚部材８が網籠状に形成されているので、棚部材８の上側スペース内に多くの物品を水切り状態にして落下しないよう確実に収納保管することができる。しかも、棚部材８はその下面が折曲管部７の下側端と略等しい高さ位置になるよう設けられているので、棚部材８の下側スペースの容積が大きく確保され、引出し部材２の内部に収納される物品ａの高さ規制も同棚部材８によって支障なく確実に行われる。
【００３２】
図５は、本発明の請求項１〜５全てに対応する別の実施形態を示し、該実施形態の収納キャビネットにおいては、排水トラップ18にエルボ管部19が接続されて該エルボ管部19で折曲管部７が形成され、同エルボ管部19の後方端に蛇腹状管部20が接続され、該蛇腹状管部20が水平状態のままでキャビネット１の背板部12を貫通され、該キャビネット１の後方へ配管されている。ここでは、引出し部材２が後方へ押し納められた状態でその後端部分がキャビネット１の背板部12に近接して位置するよう、同引出し部材２の前後奥行寸法は設定されている。
【００３３】
したがって、該実施形態の収納キャビネットにおいては、引出し部材２の後端部分が後方へより長く延設されることになるので、該引出し部材２の容積はその分更に大きくなって、同引出し部材２の内部により多くの物品ａを収納保管することができるようになる。なお、それ以外は、上記実施形態と同様に構成されており、上記実施形態におけると同様の作用効果が奏される。
【００３４】
【発明の効果】
上述の如く、本発明の請求項１記載の収納キャビネットにおいては、引出し部材の容積が大きくなってその内部に多くの物品を収納保管することができ、その際、排水管が同引出し部材のスライドに支障となることもなく、又、棚部材より上側のスペース内にも物品を収納保管することができて、キャビネット内を収納スペースとして広く有効に活用することができ、棚部材の下側スペースの容積が大きく確保され、該棚部材により収納物品の高さ規制も支障なく行われて、同棚部材の存在によって収納物品や排水管等が破損することも確実に防止される。
【００３５】
又、本発明の請求項２記載の収納キャビネットにおいては、特に、蓋板でキャビネットの前面開口を開閉すると同時に引出し部材がスライドされて、該引出し部材の内部及び棚部材より上側のスペース内に収納保管される物品を容易に出し入れすることができる。
【００３６】
又、本発明の請求項３記載の収納キャビネットにおいては、特に、棚部材が前方へ引き出される引出しとして設けられていて、該棚部材より上側のスペース内に収納保管される物品を該棚部材を引き出して極めて簡単に出し入れすることができる。
【００３７】
又、本発明の請求項４記載の収納キャビネットにおいては、特に、棚部材の前後奥行寸法が大きく設定されてその上側スペースの容積は大きくなり、該棚部材の上側スペース内に多くの物品を収納保管することができ、その際、排水管が同棚部材のスライドに支障となることもない。
【００３８】
又、本発明の請求項５記載の収納キャビネットにおいては、特に、網籠状に形成された棚部材の上側スペース内に多くの物品を水切り状態にして落下しないよう確実に収納保管することができる。
【図面の簡単な説明】
【図１】本発明の一実施形態である収納キャビネットを側方から見た内部構造図。
【図２】同収納キャビネットを前方から見た内部構造図。
【図３】同収納キャビネットを上方から見た内部構造図。
【図４】同収納キャビネットの外観を示す正面図。
【図５】別の実施形態である収納キャビネットを側方から見た内部構造図。
【図６】従来例である収納キャビネットを側方から見た内部構造図。
【図７】従来の別の提案例である収納キャビネットを側方から見た内部構造図。
【符号の説明】
１  キャビネット
２  引出し部材
３  天板部
４  シンク
５  排水口
６  排水管
７  折曲管部
８  棚部材
９  蓋板
【図１】
0004332944.tif 000002
【図２】
0004332944.tif 000003
【図３】
0004332944.tif 000004
【図４】
0004332944.tif 000005
【図５】
0004332944.tif 000006
【図６】
0004332944.tif 000007
【図７】
0004332944.tif 000008